(57)【要約】【課題】  地中収納式の発光装置付き車止め柵柱において、内ポールの挿脱の操作性、組立ての容易性や経済性、外観の意匠性等に留意した具体的な内部構造を提案する。【解決手段】本発明の発光装置付き車止め柵柱１は、内ポール４が、把手４２１付きの上蓋４２と、チェーン保持具４３と、チェーン止め鉤４４と、内ポール４内に収納されるチェーン６とを備えるとともに、上蓋４２の上面に設けられた受光部５１と、内ポール４内に取り付けられる発光部５３及び制御部５２とからなる発光装置５を備えるものである。【選択図】図４
2005220618.tif 000002
【特許請求の範囲】
【請求項１】
地中に埋設される中空筒状の外パイプと、この外パイプ内に挿脱自在に保持される中空筒状の内ポールとからなる車止め柵柱であって、
内ポールは、上端部に装着された把手付きの上蓋と、内ポールの側面に形成されたチェーン引出窓に面して内ポールの内部に設けられるチェーン保持具と、内ポールの側面に形成されたチェーン掛止窓に面して内ポールの内部に設けられるチェーン止め鉤と、内ポール内に収納されて上記チェーン引出窓から引き出されるチェーンとを備えるとともに、
上蓋の上面に設けられた受光部と、内ポールの側面に形成された発光窓に面して内ポール内に取り付けられる発光部と、上蓋の下側に保持されて上記受光部及び発光部にリード線を介して接続された制御部と、からなる発光装置を備えることを特徴とする発光装置付き車止め柵柱。
【請求項２】
発光装置の受光部は、上蓋の上面に取り付けられた太陽電池及び照度センサと、これら太陽電池及び照度センサを被覆する透明樹脂製のカバー材とを具備することを特徴とする請求項１に記載の発光装置付き車止め柵柱。
【請求項３】
発光装置の発光部は、発光窓の内側に保持された透光部材と、透光部材の一端部に取り付けられた光源と、透光部材の表面に貼着された透過拡散シートとを具備することを特徴とする請求項１または２に記載の発光装置付き車止め柵柱。
【請求項４】
発光装置の発光部は、発光窓の内側に保持された光源と、光源の背後に設けられた反射板とを具備することを特徴とする請求項１または２に記載の発光装置付き車止め柵柱。
【請求項５】
チェーン保持具、チェーン止め鉤、及び発光装置の発光部が、上蓋の下面に直接、または適宜の取着部材を介して接合された状態で、内ポールの内部に挿着されたことを特徴とする請求項１〜４のいずれかに記載の発光装置付き車止め柵柱。
【請求項６】
地中に埋設される中空筒状の外パイプと、この外パイプ内に挿脱自在に保持される中空筒状の内ポールとからなる車止め柵柱であって、
内ポールは、上端部に装着された把手付きの上蓋と、内ポールの側面に形成されたチェーン引出窓に面して内ポールの内部に設けられるチェーン保持具と、内ポールの側面に形成されたチェーン掛止窓に面して内ポールの内部に設けられるチェーン止め鉤と、内ポール内に収納されて上記チェーン引出窓から引き出されるチェーンとを備えるとともに、
上蓋の上面に設けられた受光部と、上蓋の側面に配設された発光部と、上蓋の内側または下側に保持されて上記受光部及び発光部にリード線を介して接続された制御部と、からなる発光装置を備えることを特徴とする発光装置付き車止め柵柱。
【請求項７】
チェーン保持具及びチェーン止め鉤が、上蓋の下面に直接、または適宜の取着部材を介して接合された状態で、内ポールの内部に挿着されたことを特徴とする請求項６に記載の発光装置付き車止め柵柱。
【請求項８】
発光装置の制御部は、太陽電池によって光電変換された電荷を蓄積する蓄電池と、発光部に電荷を供給する駆動電源部と、それらを制御する制御回路とによって形成され、
この制御部が、一定以上の照度条件下では太陽電池により変換された電荷を蓄電池に蓄積し、一定未満の照度条件下では蓄電池に蓄積された電荷を発光部に供給して発光部を発光させることを特徴とする請求項１〜７のいずれかに記載の発光装置付き車止め柵柱。
【請求項９】
発光装置には、内ポールを外パイプ内に収納したときに、外パイプの内面に取り付けられた磁石に反応して発光回路を遮断するマグネットスイッチが設けられたことを特徴とする請求項１〜８のいずれかに記載の発光装置付き車止め柵柱。
【発明の詳細な説明】
【技術分野】
【０００１】
本発明は、発光装置を備えた車止め柵柱に関し、詳細には、内ポールを地中に落とし込んで収納する方式の発光装置付き車止め柵柱に関する。
【背景技術】
【０００２】
公共的な駐車場や公園等の施設には、車止め用の柵柱が設けられる。柵柱は、通常、地面に対して着脱可能、または地中に収納可能に設けられ、隣り合う柵柱間には車止め用のチェーンが架け渡されて車両の侵入を規制する。
【０００３】
このような車止め柵柱においては、夜間や曇天時における視認性を高めるため、内ポールの側面や頂部近傍に発光装置を取り付けたものが知られている。特許文献１に開示された「発光源付きポール」はその一例である。
【０００４】
この発光源付きポールは、ポール本体の頂部に太陽電池、ポール本体の側面にエレクトロルミネッセンス型光源を利用した面状発光体を備え、ポール本体の内側に蓄電池や回路等からなる制御装置を備えている。そして、日中の明るい時間帯に太陽電池によって光電変換した電荷を利用して、夜間に発光体を発光させる。蓄電や発光の制御についても、具体的に様々な方式が提案されている。
【０００５】
ただし、上記特許文献１には、ポール本体の収納方式に関する記載がない。本出願人は、かねてより、地中に落とし込んで収納する方式の車止め柵柱を種々、提案している（例えば特許文献２，３など）が、この種の車止め柵柱においては、内ポールの上部に、内ポールを引き上げるための把手、チェーンを収納するための保持具、チェーンを掛止するための止め鉤などが集中的に組み込まれる。したがって、上記特許文献１に記載されたような発光装置を内ポールの上部に組み込むとなると、それら装置類の納まりを、他の機構類との関係の中で合理的に解決する必要がある。しかし、本出願人が調査した範囲では、地中収納式の車止め柵柱に関して、その内部に発光装置を組み込むための合理的な構造を具体的に提案したものは見当たらない。
【０００６】
なお、特許文献４には、地中収納式の車止め柵柱に発光装置を内蔵することが記載されてはいるが、この文献にも、発光装置を実際にどのような構造で納めるかという点について具体的な記載はない。
【特許文献１】特開２０００−２８５７０８号公報
【特許文献２】特開平１０−８２０２４号公報
【特許文献３】特開平１０−３２５１１７号公報
【特許文献４】特開平６−３１３３０７号公報（段落００１９，図１−図２）
【発明の開示】
【発明が解決しようとする課題】
【０００７】
本発明は上記のような事情に鑑みてなされたもので、その目的は、地中収納式の車止め柵柱に発光装置を組み込むに際して、その合理的な内部構造を具体的に提案することにある。かかる内部構造において特に留意すべき課題は、実用レベルの防水性や耐久性のほか、内ポール挿脱時の操作性、組立ての容易性や経済性、外観の意匠性等を確保することにある。
【課題を解決するための手段】
【０００８】
上記課題を解決するため、本発明の発光装置付き車止め柵柱は、地中に埋設される中空筒状の外パイプと、この外パイプ内に挿脱自在に保持される中空筒状の内ポールとからなる車止め柵柱であって、内ポールは、上端部に装着された把手付きの上蓋と、内ポールの側面に形成されたチェーン引出窓に面して内ポールの内部に設けられるチェーン保持具と、内ポールの側面に形成されたチェーン掛止窓に面して内ポールの内部に設けられるチェーン止め鉤と、内ポール内に収納されて上記チェーン引出窓から引き出されるチェーンとを備えるとともに、上蓋の上面に設けられた受光部と、内ポールの側面に形成された発光窓に面して内ポール内に取り付けられる発光部と、上蓋の下側に保持されて上記受光部及び発光部にリード線を介して接続された制御部と、からなる発光装置を備えることを特徴とする。
【０００９】
この発明における発光装置の受光部は、上蓋の上面に取り付けられた太陽電池及び照度センサと、これら太陽電池及び照度センサを被覆する透明樹脂製のカバー材とを具備するものとすることができる。
【００１０】
また、この発明における発光装置の発光部は、発光窓の内側に保持された透光部材と、透光部材の一端部に取り付けられた光源と、透光部材の表面に貼着された透過拡散シートとを具備するものとすることができる。
【００１１】
あるいは、発光装置の発光部は、発光窓の内側に保持された光源と、光源の背後に設けられた反射板とを具備するのとすることができる。
【００１２】
さらに、本発明は、チェーン保持具、チェーン止め鉤、及び発光装置の発光部が、上蓋の下面に直接、または適宜の取着部材を介して接合された状態で、内ポールの内部に挿着されたことを特徴とする。
【００１３】
また、本発明の他の構成に係る発光装置付き車止め柵柱としては、地中に埋設される中空円筒状の外パイプと、この外パイプ内に挿脱自在に保持される中空円筒状の内ポールとからなる車止め柵柱であって、内ポールは、上端部に装着された把手付きの上蓋と、内ポールの側面に形成されたチェーン引出窓に面して内ポールの内部に設けられるチェーン保持具と、内ポールの側面に形成されたチェーン掛止窓に面して内ポールの内部に設けられるチェーン止め鉤と、内ポール内に収納されて上記チェーン引出窓から引き出されるチェーンとを備えるとともに、上蓋の上面に設けられた受光部と、上蓋の側面に配設された発光部と、上蓋の内側または下側に保持されて上記受光部及び発光部にリード線を介して接続された制御部と、からなる発光装置を備えることを特徴とする。
【００１４】
この発明においても、チェーン保持具及びチェーン止め鉤が、上蓋の下面に直接、または適宜の取着部材を介して接合された状態で、内ポールの内部に挿着されたものとすることができる。
【００１５】
また、本発明において、発光装置の制御部は、太陽電池によって光電変換された電荷を蓄積する蓄電池と、発光部に電荷を供給する駆動電源部と、それらを制御する制御回路とによって形成され、この制御部が、一定以上の照度条件下では太陽電池により変換された電荷を蓄電池に蓄積し、一定未満の照度条件下では蓄電池に蓄積された電荷を発光部に供給して発光部を発光させることを特徴とする。
【００１６】
さらに、発光装置には、内ポールを外パイプ内に収納したときに、外パイプの内面に取り付けられた磁石に反応して発光回路を遮断するマグネットスイッチが設けられたことを特徴とする。
【発明の効果】
【００１７】
本発明の車止め柵柱は以上のような構造を有するので、把手、チェーン保持具、チェーン止め鉤、チェーン等からなるチェーンの収納・掛脱装置と発光装置とを、細長く窮屈な内ポールの内部にコンパクトに納めることができる。さらに、適宜の取着部材を介して、上蓋と、発光装置やチェーン保持具、チェーン止め鉤等の内部部品を予め一体に組み立て、これらをまとめて内ポール内に挿着することができるので、効率的かつ経済的に製造することができる。
【００１８】
また、本発明の車止め柵柱は以上のような構造を有するので、内ポールの側面に目立った突出物が露出せず、内ポールの外形がすっきりとした直筒状になる。したがって、外パイプへの挿脱を円滑に行うことができ、製品の外観も端正で美しいものになる。
【発明を実施するための最良の形態】
【００１９】
以下、本発明の実施の形態について、図面を参照しつつ説明する。
【実施例１】
【００２０】
図１〜図５は、本発明の第一実施形態る発光装置付き車止め柵柱１を示す。図１は、発光装置付き車止め柵柱１の全体構成を示す側面図である。この発光装置付き車止め柵柱１は、地中に埋設固定される外パイプ２と、外パイプ２内に挿脱される内ポール４とからなる。内ポール４は、不使用時には外パイプ２内に完全に収納され、使用時には外パイプ２から引き出されて所定の高さだけ地上に突出する。また、図２は、外パイプ２及び内ポール４の上面図である。
【００２１】
＜外パイプ＞
図３は、外パイプ２の構造を示す部分縦断面図である。外パイプ２は、ステンレス鋼材等からなる中空円筒状のパイプに、底板２１と固定プレート２２を取り付けて形成されている。底板２１は、外パイプ２の下端部に嵌挿されて、外パイプ２の外側から取着したボルト２１１により固定されている。底板２１の上面には、内ポール４を落とし込んだときの衝撃を緩和するためにクッションゴム２１２が取り付けられている。
【００２２】
固定プレート２２は、短い筒状部２２１の上縁にフランジ状の拡径部２２２を形成した部材で、外パイプ２の上端部に嵌装されて溶接により固定されている。外パイプ２の上端部内面から固定プレート２２の拡径部２２２の上面にかけては、例えばＡＢＳ樹脂等の高潤滑性樹脂からなる内ブッシュ２３が装着されている。この内ブッシュ２３は、外パイプ２内に挿入される内ポール４の外周面に接触して内ポール４の上下動を案内するとともに、その摩擦抵抗を低減させる作用をなす。内ブッシュ２３は、固定プレート２２の上面に被せられるガイドカバー２４と、ガイドカバー２４の上側から取着されるビス２５によって、固定プレート２２に固定されている。ガイドカバー２４の中央には、内ポール４を挿通させうる円形のガイド穴が形成されている。
【００２３】
内ブッシュ２３には、図３中に破線で示すように、内ブッシュ２３の側面を上下方向に貫通する縦溝と、ガイドカバー２４の直下にて縦溝から水平方向に延びる横溝とからなるガイド溝２３１が形成されている。このガイド溝２３１には、内ポール４の下部を貫通して取り付けられたアンカーピン４５が係合して、内ポール４の引き上げ操作が案内される。すなわち、内ポール４を引き上げる際には、縦溝に沿って案内されたアンカーピン４５がガイドカバー２４の下面に当接するところで抜け止めとなり、この状態で内ポール４を軸回りに数十度回動させると、アンカーピン４５が横溝に沿って移動し、引き上げられた内ポール４が落下しないように保持される。ガイド溝２３１は上方に開口しており、ガイドカバー２４を固定プレート２２から取り外すことによって、内ポール４を完全に抜き出すこともできる。
【００２４】
また、この外パイプ２には、図２に示すように、内ポール４を引き上げた状態で拘束するためのロック装置２６が設けられている。ロック装置２６は、内ブッシュ２３の一部をくり抜いて固定プレート２２の拡径部２２２に収容されたロック爪２６１と、内ポール４の側面に形成された爪穴２６２とによって構成される。ロック爪２６１は、ガイドカバー２４に取り付けられたロックねじ２６３を介して水平方向に回動しうるように保持されている。爪穴２６２は、内ポール４を引き上げて上記のように回動させたとき、ロック爪２６１と係合する位置に形成されており、この係合によって内ポール４が引き上げ位置に拘束される。ロックねじ２６３は、上側からマイナスドライバーのような工具で操作できるようになっている。
【００２５】
＜内ポール＞
図４は、本発明の要部をなす内ポール４の上部構造を示した部分縦断面図である。内ポール４も、ステンレス鋼材等かならる中空パイプを利用して形成されている。内ポール４の下端部には内底板４１が溶接により固定されている。
【００２６】
内ポール４の上端部には上蓋４２が取り付けられ、内ポール４の内部にはチェーン保持具４３、チェーン止め鉤４４、発光装置５等が取り付けられている。これらは、上蓋４２の下面に接合された懸吊板４５や、懸吊板４５の下端部に接合された支持板４６等からなる取着部材を介して、予め一体に組み立てられた後、内ポール４に挿着されている。例示の形態にかかる懸吊板４５は略短冊状の金属板体を屈曲形成したもので、支持板４６は、内ポール４に内接しうる略扇形の金属板体にチェーン６の挿通路を設けたものである。ただし、これら懸吊板４５や支持板４６の形状は、特に上記のような形態に限定されるものではなく、各部品の大きさや形状に応じて適宜に設計されればよい。
【００２７】
上蓋４２は、浅い有底円筒状の部品で、その底面には、内パイプを引き上げる際に使用される角環状の把手４２１が、上下動自在に取り付けられている。この上蓋４２は、内ポール４の上端内面に嵌挿されて、内ポール４の外側から取着したビス４２２により固定されている。
【００２８】
チェーン保持具４３は、上蓋４２の下面に接合された懸吊板４５を介して上蓋４２の下側に懸吊支持され、内ポール４の側面に形成されたチェーン引出窓４０１に臨むように保持されている。チェーン保持具４３は、チェーン引出窓４０１に面する側が開口した略箱状の部品で、その底面には、チェーン６を挿通させうる開口部４３１が形成されている。チェーン６は、内ポール４の内部に収納され、この開口部４３１及びチェーン引出窓４０１を通じて引き出される。チェーン６の先端には、上記開口部４３１を通過し得ない大きさの環状掛金具６１が取り付けられており、チェーン６を収納したときでも、環状掛金具６１だけはチェーン保持具４３の底面上に保持されるようになっている。チェーン６の基端は、内ポール４の下部を貫通して取り付けられたアンカーピン４５に掛着されている。
【００２９】
チェーン止め鉤４４は、上蓋４２の下面に接合されて、内ポール４におけるチェーン引出窓４０１の反対側に形成されたチェーン掛止窓４０２に臨むように保持されている。チェーン止め鉤４４は、チェーン掛止窓４０２の上部から窓内に突出して内方に湾曲した掛止フック４４１と、掛止フック４４１の内側に配置された押え片４４２とを有している。チェーン掛止窓４０２は横長の形状で、ここに他の車止め柵柱１から引き出されたチェーン６の環状掛金具６１が挿入され、掛止フック４４１に掛止される。押え片４４２は、コイルバネ４４３を挿装した押込みボルト４４４を介して掛止フック４４１に取り付けられており、内ポール４の外側から押込みボルト４４４を押し込むと、押え片４４２が内ポール４の内方に後退して、チェーン６の掛脱が可能になる。
【００３０】
発光装置５は、上蓋４２の上面に設けられた受光部５１、支持板４６上に保持された制御部５２及び発光部５３、上蓋４２の下方に取り付けられたマグネットスイッチ５４等からなり、これらはリード線５５を介して電気的に接続されている。
【００３１】
受光部５１には、把手４２１をかわすようにして、太陽電池５１１と照度センサ５１２が取り付けられている。太陽電池５１１及び照度センサ５１２は、上蓋４２の上面に嵌挿されたカバー材５１３によって防水被覆されている。カバー材５１３は、例えば透明のポリカーボネート樹脂等からなり、その上面中央部は摺り鉢状に凹設されて、把手４２１が上蓋４２の上縁部と略面一に納まるようになっている。
【００３２】
制御部５２には、詳細な図示は省略するが、太陽電池５１１によって光電変換された電荷を蓄積する蓄電池、発光部５３に電荷を供給する駆動電源部、それらを制御する制御回路等が設けられる。日中の明るい時間帯など、一定の照度が得られる条件下では、太陽電池５１１により変換された電荷が制御回路を経て継続的に蓄電される。また、制御回路は、常時、照度センサ５１２を監視して、周囲が暗くなったことを検知すると、蓄電池に蓄積された電荷を発光部５３に供給する。
【００３３】
発光部５３は、内ポール４の側面に形成された発光窓４０３に面して配設されている。この実施形態に係る発光窓４０３は縦長の長円形状で、内ポール４の周面４箇所に形成されている。発光部５３は、図５に示すように、発光窓４０３の内側に保持された、例えば透明アクリル板等からなる透光部材５３１と、その上端部に取り付けられた、例えば発光ダイオード等からなる小型の光源５３２と、透光部材５３１の表面に貼着された透過拡散シート５３３とからなるエッジライト型発光体である。このような発光体によれば、小さい電荷で輝度の高い照明効果を得ることができる。ただし、これに替えて、蛍光性化合物を電界発光させるエレクトロ・ルミネッセンス型面発光体等を利用することもできる。
【００３４】
マグネットスイッチ５４は、内ポール４の収納時に発光部５３を発光させないためのスイッチで、内ポール４の上部内面に取り付けられている。これに対応して外パイプ２には、内ポール４を収納した状態でマグネットスイッチ５４に面する位置に、磁石５６が取り付けられている。この磁石５６の作用により、内ポール４の収納時には発光部５３を発光させるための回路が開いて、発光部５３への電荷供給が遮断される。内ポール４を引き出した状態では上記発光回路が閉じる。これにより、内ポール４収納時の無駄な発光を避けて、蓄電池の消耗を防ぐことができる。
【実施例２】
【００３５】
図６〜図８は、本発明の第二実施形態に係る発光装置付き車止め柵柱の内部構造を示す。この発光装置付き車止め柵柱は、発光部の構成が、上記第一実施形態に係る発光装置付き車止め柵柱１の構成とは若干異なっており、それ以外の構成は上記実施形態と同様である。図６は、内ポール４内に挿着される部品の側面図であり、図７は、内ポール４の横断面図、図８は内ポール４の外観を示した部分側面図である。
【００３６】
上蓋４２の下面には、チェーン止め鉤４４が取りつけられるとともに、懸吊板４５や支持板４６等からなる取着部材を介して、チェーン保持具４３と、発光装置の制御部５２及び発光部５３が取り付けられている。発光部５３は、例えば発光ダイオード等からなる小型の光源５３２と、光源５３２の背後に設けられた反射板５３４とを具備し、光源５３２が内ポール４の側面に形成された横長の発光窓４０３に臨むように配設されている。反射板５３４は、内ポール４の内部にちょうど収まる大きさに形成されている。このような形態によっても、小さい電荷で輝度の高い照明効果を得ることができる。
【実施例３】
【００３７】
図９〜図１３は、本発明の第三実施形態に係る発光装置付き車止め柵柱を示す。この発光装置付き車止め柵柱は、発光装置を構成する発光部、受光部、制御部等が上蓋と一体的に構成された点で上記第一実施形態に係る発光装置付き車止め柵柱１とは異なっているが、それ以外の構成は上記実施形態と同様である。
【００３８】
上蓋４２０は、合成樹脂等からなる円筒状の部材で、上半部の外径が内ポール４の外径と略一致するように形成されるとともに、下半部の外径が内ポール４の内径と略一致するように形成されて内ポール４内に嵌挿され、内ポール４の外側からビス４２２によって固定されている。
【００３９】
上蓋４２０の上面には皿状の凹部４２３が設けられ、この凹部４２３内に直棒状の把手４２１が固定されている。凹部４２３の底面中央には太陽電池と照度センサからなる受光部５１が設けられて、この受光部５１が上蓋４２０の下半部に組み込まれた制御部５２と接続されている。制御部５２には発光ダイオード等からなる小型の光源５３２が複数個、リード線５５を介して接続され、これらの光源５３２が、上蓋４２０の外周に沿って形成された発光窓からそれぞれ露出するように取り付けられている。
【００４０】
チェーン保持具４３やチェーン止め鉤４４は、上蓋４２０の底面に取り付けられた略円板状の取着部材４７等を介して上蓋４２０と一体的に組み立てられ、内ポール４に挿着されている。
【００４１】
上記各実施形態に示したように、本発明の構成では、上蓋に把手やチェーン保持具やチェーン止め鉤、チェーン等からなるチェーンの収納・掛脱装置と、受光部、発光部、制御部等からなる発光装置とを予め一体的に組み付けて、それらを細長い内ポール内に上方から挿着しうるように構成されているので、内部構造が簡素になり、効率的かつ経済的に製造することができる。また、上蓋を内ポールから取り外せば、部品の交換や修理も容易になるので、メンテナンス性にも優れる。
【００４２】
なお、本発明の実施に際しては、上記各実施形態に限らず、要旨を逸脱しない範囲においての変更は可能であり、例えば外パイプや内ポールの断面を多角形状としたり、チェーンの収納・掛脱装置や発光装置の位置関係、細部構造等を若干変化させたりしてもよい。
【図面の簡単な説明】
【００４３】
【図１】本発明の第一実施形態に係る発光装置付き車止め柵柱の全体側面図である。
【図２】上記発光装置付き車止め柵柱の上面図と、その一部分を破断して内部を示す図である。
【図３】上記発光装置付き車止め柵柱における外パイプの構造を示す部分縦断面図である。
【図４】上記発光装置付き車止め柵柱における内ポールの内部構造を示す部分縦断面図である。
【図５】図４に示した発光部の拡大縦断面図である。
【図６】本発明の第二実施形態に係る発光装置付き車止め柵柱の内ポールの内部構造を示す部分縦断面図である。
【図７】上記発光装置付き車止め柵柱における内ポールの横断面図である。
【図８】上記発光装置付き車止め柵柱における内ポールの部分側面図である。
【図９】本発明の第三実施形態に係る発光装置付き車止め柵柱の内ポールの上面図である。
【図１０】上記発光装置付き車止め柵柱における内ポールの部分縦断面図である。
【図１１】図１０と直交する方向から見た内ポールの部分縦断面図である。
【図１２】上記発光装置付き車止め柵柱における上蓋の横断面図である。
【図１３】上記発光装置付き車止め柵柱における内ポールの部分側面図である。
【符号の説明】
【００４４】
１      車止め柵柱
２      外パイプ
４      内ポール
４０１  チェーン引出窓
４０２  チェーン掛止窓
４０３  発光窓
４２    上蓋
４２０  上蓋
４２１  把手
４３    チェーン保持具
４４    チェーン止め鉤
５      発光装置
５１    受光部
５１１  太陽電池
５１２  照度センサ
５１３  カバー材
５２    制御部
５３    発光部
５３１  透光部材
５３２  光源
５３３  透過拡散シート
５４    マグネットスイッチ
５５    リード線
５６    磁石
６      チェーン
【図１】
2005220618.tif 000003
【図２】
2005220618.tif 000004
【図３】
2005220618.tif 000005
【図４】
2005220618.tif 000006
【図５】
2005220618.tif 000007
【図６】
2005220618.tif 000008
【図７】
2005220618.tif 000009
【図８】
2005220618.tif 000010
【図９】
2005220618.tif 000011
【図１０】
2005220618.tif 000012
【図１１】
2005220618.tif 000013
【図１２】
2005220618.tif 000014
【図１３】
2005220618.tif 000015